(57)【要約】【課題】電池収納部に収納された電池のロック機構を有する電子機器を小型化する。【解決手段】デジタルカメラ１００が有する電池収納ユニットは、電池を収納する電池収納部１と、電池収納部１の開口部１１７を開閉する蓋体１１６と、電池収納部１に支持され蓋体１１６を回転可能に支持する第１のガイド軸９と、電池が前記電池収納部１から排出されることを規制するロック部材５と、電池収納部に支持されロック部材５を支持する第２のガイド軸３とを有し、第１のガイド軸９と第２のガイド軸３を、互いに略平行であって、且つ、電池収納部１に対する電池の挿脱方向に互いに近接して配置する。【選択図】図５
2017120321.tif 000002
【特許請求の範囲】
【請求項１】
電池を収納する電池収納部と、
前記電池収納部の開口部を開閉する蓋体と、
前記電池収納部に支持され、前記蓋体を回転可能に支持する第１のガイド軸と、
前記電池が前記電池収納部から排出されることを規制するロック部材と、
前記電池収納部に支持され、前記ロック部材を支持する第２のガイド軸と、を有し、
前記第１のガイド軸と前記第２のガイド軸は、互いに略平行であって、且つ、前記電池収納部に対する電池の挿脱方向において互いに近接して配置されていることを特徴とする電子機器。
【請求項２】
前記第１のガイド軸と前記第２のガイド軸のそれぞれの軸方向は、前記電池収納部に対する電池の挿脱方向と略直交し、且つ、前記電子機器の厚み方向と略平行であることを特徴とする請求項１に記載の電子機器。
【請求項３】
前記電池収納部は、前記ロック部材の前記第２のガイド軸の軸回りでの回転を規制するガイド部を有し、
前記ロック部材は、前記ガイド部によって回転が規制された状態で、前記第２のガイド軸の軸方向に設けられたロック位置とロック解除位置との間を前記第２のガイド軸の軸方向に移動可能であることを特徴とする請求項１又は２に記載の電子機器。
【請求項４】
前記電池収納部において前記第１のガイド軸と前記第２のガイド軸をそれぞれ支持する孔部が設けられた壁部の間に取り付けられる金属製の三脚ネジ部材を有し、
前記電池収納部に対する電池の挿脱方向から見たときに、前記ロック部材の一部が前記三脚ネジ部材の外観投影領域に含まれることを特徴とする請求項１乃至３のいずれか１項に記載の電子機器。
【請求項５】
前記第１のガイド軸を含み、前記第１のガイド軸の軸回りに前記蓋体を回転させる回転ヒンジ部が、前記三脚ネジ部材の外観投影領域に含まれることを特徴とする請求項４に記載の電子機器。
【請求項６】
前記蓋体は、金属製のプレート部材と、前記第１のガイド軸が挿入された状態で前記蓋体に保持されるトグルバネとを有し、
前記蓋体が前記開口部を閉じる動作にともなって、前記トグルバネは内径方向に巻き締まって前記第１のガイド軸と導通すると共に、前記トグルバネに設けられたフック部および腕部がそれぞれ前記金属製のプレート部材および前記三脚ネジ部材と接触することにより、前記プレート部材と前記三脚ネジ部材が、前記トグルバネおよび前記第１のガイド軸とを介して導通することを特徴とする請求項４又は５に電子機器。
【請求項７】
前記電子機器は、前記電子機器の本体の正面側にレンズ鏡筒が設けられた撮像装置であり、
前記第１のガイド軸と前記第２のガイド軸は、前記レンズ鏡筒の光軸と略平行に、且つ、前記電子機器を正面側から見たときに、前記レンズ鏡筒、前記電池収納部および前記本体の底面によって形成される略三角形の領域に配置されていることを特徴とする請求項４乃至６のいずれか１項に記載の電子機器。
【請求項８】
前記電子機器の正面から見たときに、前記三脚ネジ部材は前記略三角形の領域に設けられていることを特徴とする請求項７に記載の電子機器。
【発明の詳細な説明】
【技術分野】
【０００１】
本発明は、電池収納ユニットを備える電子機器に関し、特に、電池収納ユニットの蓋機構及び電池収納ユニットの内部における電池の移動を防止するロック機構に関する。
【背景技術】
【０００２】
デジタルカメラ等の携帯型の電子機器では、電源として電池が用いられている。そのため電子機器は、機器筐体の内部に電池を収納するための電池収納ユニットを備えている。電池収納ユニットは、一般的に、電池を挿脱可能にする電池挿脱口を有する電池収納部と、電池挿脱口を開閉する電池蓋を備える。ここで、電池収納ユニットには、電池収納部に収納された電池が電池挿脱口へ向けて移動するのを防止するロック機構を有するものがある。例えば、電池を電池収納部に対して挿脱するための開口面に沿って移動可能なロック部材を有する電池ロック機構が提案されている（特許文献１参照）。
【先行技術文献】
【特許文献】
【０００３】
【特許文献１】特許第４０１９７７６号公報
【発明の概要】
【発明が解決しようとする課題】
【０００４】
しかし、上記特許文献１に記載されたロック部材を電子機器の機器筐体の厚み方向（電池の挿脱方向と直交する一方向）に配置した場合、ロック部材の移動空間を確保する必要性から、結果的に機器筐体の厚みが増してしまうという問題がある。また、上記特許文献１に記載されたロック部材を電池の挿脱方向及び厚み方向の両方向と直交する方向に配置しようとすると、電池蓋のヒンジ機構の配置スペースとロック部材との干渉を回避する必要があるため、機器筐体を小型化することは容易ではない。更に、デジタルカメラ等の撮像装置では、電池挿脱口の近傍に三脚ネジが配置されることが多く、この場合には、ロック部材と三脚ネジの配置スペースの干渉を回避する必要があるため、機器筐体の小型化は更に難しくなる。
【０００５】
本発明は、電池収納部に収納された電池を保持するロック機構を有する電子機器の小型化を可能にする技術を提供することを目的とする。
【課題を解決するための手段】
【０００６】
本発明に係る電子機器は、電池を収納する電池収納部と、前記電池収納部の開口部を開閉する蓋体と、前記電池収納部に支持され、前記蓋体を回転可能に支持する第１のガイド軸と、前記電池が前記電池収納部から排出されることを規制するロック部材と、前記電池収納部に支持され、前記ロック部材を支持する第２のガイド軸と、を有し、前記第１のガイド軸と前記第２のガイド軸は、互いに略平行であって、且つ、前記電池収納部に対する電池の挿脱方向において互いに近接して配置されていることを特徴とする。
【発明の効果】
【０００７】
本発明によれば、電池収納部に収納された電池を適切に保持するロック機構を備えた電子機器の小型化を実現することができる。
【図面の簡単な説明】
【０００８】
【図１】本発明の実施形態に係るデジタルカメラの概略構成を示す外観斜視図である。
【図２】図１のデジタルカメラが備える電池収納ユニットの第１の分解斜視図である。
【図３】図１のデジタルカメラが備える電池収納ユニットの第２の分解斜視図である。
【図４】図１のデジタルカメラが備える電池蓋の部分的な構成を示す斜視図である。
【図５】図１のデジタルカメラにおいて電池収納ユニット内での電池の移動を規制するロック部材の動作を説明する図である。
【図６】図１のデジタルカメラにおいて電池蓋が開いた状態を示す部分斜視図である。
【発明を実施するための形態】
【０００９】
以下、本発明の実施形態について、添付図面を参照して詳細に説明する。本実施形態では、本発明に係る電子機器の一例として、デジタルカメラ（撮像装置）を取り上げることとする。図１は、本発明の実施形態に係るデジタルカメラ１００の外観斜視図である。具体的には、図１（ａ）は、デジタルカメラ１００の正面と上面を示す斜視図である。図１（ｂ）は、デジタルカメラ１００の底面と背面を示す斜視図であり、蓋体１１６が閉じられた状態を示している。図１（ｃ）は、デジタルカメラ１００の底面と背面を示す斜視図であり、蓋体１１６が開かれた状態を示している。
【００１０】
デジタルカメラ１００は、カメラ本体１０１、レンズ鏡筒１０２、電源ボタン１０３及びレリーズボタン１０４を備える。レンズ鏡筒１０２は、ズームレンズやフォーカスレンズ、像ぶれ補正レンズ等の各種レンズ群、レンズバリア、レンズ駆動機構、絞り、シャッタ等を具備することにより撮影光学系を構成している。レンズ鏡筒１０２を通過する光束は、カメラ本体１０１の内部に設けられた不図示の撮像素子に結像する。なお、撮像素子に対する露光から画像データの生成に至る構成については、本発明とは直接の関係がないため、説明を省略する。電源ボタン１０３は、デジタルカメラ１００の電源のオン／オフを切り替えるための操作部材である。レリーズボタン１０４は、半押しでオンする１段目の不図示のスイッチＳＷ１と全押しでオンする不図示の２段目のスイッチＳＷ２を有する。スイッチＳＷ１がオンすると自動合焦（ＡＦ）と自動露出（ＡＥ）が行われ、スイッチＳＷ２がオンすると静止画撮影が行われて画像データが生成される。
【００１１】
デジタルカメラ１００は、ズームレバー１０５、動画ボタン１０６及びストロボ１０７を備える。ズームレバー１０５は、レリーズボタン１０４の外周に取り付けられた回転操作型の操作部材であり、ズームレバー１０５を所定の方向に回転させることによって撮影画角の変更が可能となる。動画ボタン１０６が押下操作されると、動画撮影が開始される。ストロボ１０７は、撮影時に被写体の明るさが足りない場合に自動でカメラ本体１０１からポップアップし、また、不図示のストロボボタンを操作することによりカメラ本体１０１からポップアップし、被写体に向けて閃光を照射する。なお、図１（ａ）には、ストロボ１０７がカメラ本体１０１に収納された状態が示されているため、ストロボ１０７の上面のみが外観に現れている。
【００１２】
デジタルカメラ１００は、モードダイヤル１０９、液晶パネルユニット１１０及び端子カバー１１１を備える。モードダイヤル１０９は、静止画撮影モード、動画撮影モード、画像再生モード等の動作モードを設定するための操作部材であり、カメラ本体１０１に対して回転可能に取り付けられている。液晶パネルユニット１１０には、撮影時の構図を確認するための画像や撮影画像、撮影条件や各種の設定メニュー等が表示される。液晶パネルユニット１１０の画面にはタッチパネルが組み込まれており、画面に対するタッチ操作により、画像の拡大や縮小、各種アイテムの選択等を行うことができる。端子カバー１１１は、カメラ本体１０１に設けられたＵＳＢ端子やＨＤＭＩ(登録商標)端子等の外部接続端子を保護する。端子カバー１１１を開けるとこれらの外部接続端子が露出し、対応するケーブルの接続が可能となる。
【００１３】
デジタルカメラ１００は、操作ボタン群１１２及び操作ダイヤル１１３を備える。操作ボタン群１１２は、デジタルカメラ１００の機能を切り換える際に操作され、例えば、再生ボタンや通信ボタン、情報表示ボタン、メニューボタン等である。操作ダイヤル１１３は、時計回りと反時計回りに回転可能であり、且つ、上下左右の４カ所と中央部ボタンの１カ所に対し押し込み操作が可能となっており、各ポジションに撮影時の機能等が割り当てられている。操作ダイヤル１１３を回転させて所望の機能を呼び出し、中央部ボタンを押下することで、撮影時の機能を確定させることができる。また、画像再生モードにあるときには、操作ダイヤル１１３を回転させることにより、画像の拡大や縮小等も可能となっている。
【００１４】
デジタルカメラ１００は、三脚座１１４及び蓋体１１６を備える。三脚座１１４はカメラ本体１０１の底面部に配置されており、カメラ本体１０１を不図示の三脚に取り付けることにより、手ぶれを抑えた撮影やセルフタイマーでの撮影等を行うことができる。カメラ本体１０１の底面部には、電源となる不図示の電池と、撮影された被写体像を記憶する不図示のメモリカード等の記憶媒体を挿脱するための開口部１１７が設けられている。なお、電池は、一次電池であるか二次電池であるかを問わない。蓋体１１６は、後述する電池収納ユニットの構成要素の１つであり、開口部１１７は、蓋体１１６の回動により開閉可能となっている。蓋体１１６には蓋操作部１１５が設けられており、開口部１１７が蓋体１１６により閉じられている状態で蓋操作部１１５をデジタルカメラ１００の長手方向にスライドさせると、蓋体１１６を回動させて開口部１１７を開くことができるようになる。蓋体１１６の回動中心は、三脚座１１４側に設けられている。
【００１５】
次に、デジタルカメラ１００が備える電池収納ユニットについて説明する。図２は、電池収納ユニットの第１の分解斜視図であり、電池収納ユニットを開口部１１７側から見た図である。図３は、電池収納ユニットの第２の分解斜視図であり、電池収納ユニットを底部側から見た図である。図４は、蓋体１１６の部分的な構成を示す斜視図である。
【００１６】
電池収納ユニットは、電池収納部１、三脚ネジ部材２、コイルバネ４、ロック部材５、第１のガイド軸９、第２のガイド軸３、トグルバネ１０及び蓋体１１６を有する。開口部１１７を有する電池収納部１は、電池収納ユニットの本体部であり、デジタルカメラ１００を駆動するための電源部である不図示の電池を収納する。電池収納部１の内部には、開口部１１７に収納された不図示の電池を排出する方向に付勢する不図示の電池排出用バネが、不図示の爪により係止されている。コイルバネ４とロック部材５は、電池収納部１に収納された不図示の電池が挿脱方向に飛び出してしまうのを防止する。ロック部材５には、孔部５ａが形成されている。孔部５ａと、コイルバネ４の孔部と、電池収納部１の厚み方向で対向する一対の壁部に形成されている孔部１ｂとに、第２のガイド軸３が挿入される。これにより、コイルバネ４とロック部材５は、電池収納部１の開口部１１７の近傍に形成された一対の孔部１ｂ間の空間部に収容される。なお、第２のガイド軸３の軸方向は、電池収納部１に対する電池の挿脱方向と略直交する方向となる。電池収納部１に対するロック部材５の保持方法とロック部材５の動作の詳細については後述する。
【００１７】
三脚ネジ部材２は、図１を参照して説明した三脚座１１４に対応する。三脚ネジ部材２は、電池の収納に直接的に関係するものではないが、デジタルカメラ１００では、電池収納ユニットと組み合わせられてデジタルカメラ１００の小型化に寄与する。三脚ネジ部材２は、金属からなる部材であり、電池収納部１に形成された一対の孔部１ａ間の空間部近傍（電池収納部１における開口部１１７側の端部近傍）において電池収納部１に対して位置決め嵌合された上で、不図示のビス等により電池収納部１に固定される。また、三脚ネジ部材２には下孔部２ｃが形成されており、下孔部２ｃは不図示のビスを用いて不図示のメイン基板に連結される。なお、メイン基板は、デジタルカメラ１００における動作制御や画像処理等を行う半導体素子等の各種の電気素子を実装した基板であり、電気素子の実装面が電池収納部１の厚み方向と略直交するように電池収納部１に近接して配置される。
【００１８】
蓋体１１６は、蓋基部６、操作プレート７及びプレート部材８を有する。蓋基部６には長孔部６ａが形成され、操作プレート７にはツマミ部７ａが形成され、ツマミ部７ａが長孔部６ａに挿入されるように操作プレート７は蓋基部６に組み付けられる。なお、ツマミ部７ａ（操作プレート７）は、図１を参照して説明した蓋操作部１１５に対応する。長孔部６ａは、図２に示す矢印＋Ｘ方向と−Ｘ方向にツマミ部７ａを移動可能とする形状と開口面積を有する。蓋基部６において電池収納部１側を向く面には２つの平面部６ｃが形成されており、操作プレート７には一対の腕部７ｂが形成されている。一対の腕部７ｂが平面部６ｃと摺動可能に嵌合して適度にプリチャージされることで、ツマミ部７ａは、蓋体１１６が開口部１１７を閉じた状態（電池蓋閉じ状態）を保持する位置に留まる。このとき、腕部７ｂは、外側へ開こうとする方向に対して反力を発生させている。なお、図４は、電池蓋閉じ状態を示している。
【００１９】
電池蓋閉じ状態から操作プレート７に形成されたツマミ部７ａを矢印＋Ｘ方向に移動させると、操作プレート７に形成された一対の腕部７ｂが蓋基部６に形成されている凸部６ｄを乗り越える。その際に、一対の腕部７ｂはバネとして機能し、クリック感を発生させる。この状態から蓋基部６に形成された２つの平面部６ｅに一対の腕部７ｂが摺動可能に嵌合し、一対の腕部７ｂが適度にプリチャージされることで、ツマミ部７ａの位置が保持され、蓋体１１６を開くことが可能となる。
【００２０】
蓋基部６には軸部６ｆが形成されており、軸部６ｆに金属製のトグルバネ１０に形成されたフック部１０ｃが係止される。プレート部材８は、金属製の部材である。プレート部材８には孔部８ａが形成されており、また、蓋基部６には下孔部６ｂが形成されている。操作プレート７が蓋基部６に配置されると共にトグルバネ１０が配置された状態で、孔部８ａと下孔部６ｂがビス止め等の方法により固定されることにより、操作プレート７とプレート部材８と蓋基部６とが組み付けられる。このとき、蓋基部６に形成された軸部６ｆに挿入されているトグルバネ１０のフック部１０ｃは、プレート部材８によって蓋体１１６から外れないように抜け止めされる。
【００２１】
蓋基部６には孔部６ｇが形成され、プレート部材８には孔部８ｂが形成されており、孔部６ｇ、孔部８ｂ、トグルバネ１０の孔部及び電池収納部１の厚み方向側の壁部に形成された一対の孔部１ａへ、金属製のシャフトである第１のガイド軸９が挿入される。これにより、蓋体１１６は、第１のガイド軸９を中心軸として電池収納部１に対して回動可能な状態で電池収納部１に保持される。第１のガイド軸９の軸方向は、電池収納部１に対する電池の挿脱方向と略直交し、カメラ本体１０１の厚み方向と略平行（レンズ鏡筒１０２の光軸と略平行な方向）であり、第２のガイド軸３の軸方向と略平行となる。
【００２２】
トグルバネ１０に形成されている腕部１０ｂは、三脚ネジ部材２に形成されている凹部２ａに当接する。このようにトグルバネ１０のフック部１０ｃを蓋基部６へ、腕部１０ｂを三脚ネジ部材２へ係合させることにより、蓋基部６は、電池収納部１に対して開き方向に付勢される。トグルバネ１０は、蓋体１１６を閉じる動作によって付勢されると、トグルバネ１０の孔部が内径方向に巻き締まることによって第１のガイド軸９と当接（接触）する。したがって、蓋体１１６が開口部１１７を閉じた状態では、第１のガイド軸９及びトグルバネ１０を介して、プレート部材８と三脚ネジ部材２との間に電気的な導通を確保することができる。つまり、蓋基部６に気中又は接触により静電気が印加された場合に不図示のメイン基板へ直接的に静電気が落ちて誤動作や破壊が生じることのないように、プレート部材８と三脚ネジ部材２を導通させてアースを取っている。
【００２３】
蓋体１１６が開口部１１７を閉じた蓋閉じ状態にするためには、蓋体１１６を第１のガイド軸９の軸回りに回動させて開口部１１７側へ押し当てる。この状態で、操作プレート７に形成されたツマミ部７ａを、図２及び図３に示す−Ｘ側へ操作して、操作プレート７に形成されている２つの角部７ｃを電池収納部１に形成された一対の孔部１ｃに係合させる。これにより、蓋体１１６は閉じ位置でロックされる。
【００２４】
次に、ロック部材５の動作と機能について説明する。図５は、電池収納ユニット内での電池の移動を規制するロック部材５の動作を説明する図である。具体的には、図５（ａ）は、電池の挿脱に対してロックが掛かっている状態を示す底面図である。図５（ｂ）は、電池の挿脱に対するロックが解除された状態を示す底面図である。図５（ｃ）は、図５（ａ）に示す矢視Ａ−Ａの断面図である。なお、図５（ｃ）では、電池の図示を省略している。図６は、デジタルカメラ１００において蓋体１１６が開いた状態を示す部分斜視図である。
【００２５】
ロック部材５には先端部５ｂが形成されている。図５（ａ）に示すように電池が挿脱される開口部１１７に先端部５ｂが掛かっている（開口部１１７に入り込んでいる）状態では、先端部５ｂが電池の挿脱方向（図５（ａ）が描画されている紙面と直交する方向）での移動を規制している。このとき、コイルバネ４は、第２のガイド軸３の軸方向おいて適度に圧縮された状態となっており、不用意にロック部材５がスライドすることのないように、電池収納部１の厚み方向を電池側へロック部材５を付勢している。また、三脚ネジ部材２には受け面２ｂが形成され、ロック部材５には受け面５ｃが形成されており、電池に対する先端部５ｂの掛かり量は、受け面２ｂと受け面５ｃが当接することによって決定される。
【００２６】
先端部５ｂの図５（ａ）に示す位置（ロック位置）から図５（ｂ）に示す位置（ロック解除位置）への移動は、ユーザの指等によって行われ、図５（ｂ）の状態で、コイルバネ４は第２のガイド軸３の軸方向おいて最も圧縮されている状態となる。したがって、コイルバネ４がロック部材５を付勢する力は、ユーザの指により操作可能な荷重となるように適切に設定される。こうして図５（ｂ）に示すように電池が挿脱される開口部１１７からロック部材５に形成された先端部５ｂが退避した状態では、電池は電池収納部１に設けられた不図示の電池排出用バネによって付勢されて開口部１１７から一部が突出する。これにより、電池を電池収納部１から容易に取り出すことができるようになる。ロック部材５の退避位置は、ロック部材５に形成されている受け面５ｄと電池収納部１に形成されている不図示の受け面とが当接することによって決定される。
【００２７】
ところで、ロック部材５は第２のガイド軸３に保持されているため、ロック部材５をロック位置とロック解除位置との間でスライドさせる際に、第２のガイド軸３の軸回りでの回転を規制して、第２のガイド軸３の軸方向にのみ移動可能とする構成が必要となる。電池収納ユニットでは、電池収納部１に２つのガイド部１ｄ，１ｅを設け、ロック部材５に２つの回転規制部５ｅ，５ｆを設けることにより、ロック部材５の回転を規制している。
【００２８】
例えば、電池が電池収納部１に収納されていない状態では、ロック部材５はコイルバネ４による付勢によってロック位置にある。内部が空となっている電池収納部１に電池を装填する場合、ユーザは、例えば、指先で、又は、電池の角部をロック部材５の先端部５ｂ及びその近傍に押し当て、ロック部材５をロック解除位置側へずらした状態で電池を電池収納部１へ押し込む。こうしてロック部材５がロック位置からロック解除位置へ移動する際には、２つのガイド部１ｄ，１ｅと２つの回転規制部５ｅ，５ｆとが互いに摺動可能に嵌合した状態で、ロック位置からロック解除位置まで動作する。このとき、ロック部材５には、図５（ａ）の底面図で反時計回りとなる方向に力が加わるが、２つのガイド部１ｄ，１ｅと回転規制部５ｅ，５ｆによって回転規制部５ｅ，５ｆに加わる応力を分散させることができる。
【００２９】
なお、電池収納部１に収納された電池を取り出すために、先端部５ｂを指でロック位置からロック解除位置へスライドさせる場合も同じ効果が得られることはいうまでもない。また、デジタルカメラ１００を落下させてしまったときの衝撃等で電池の挿脱方向に外力が加わっても、回転規制部５ｅ，５ｆに加わる応力を分散させることができるため、ロック部材５に変形や破壊が生じることを回避することができる。
【００３０】
電池収納ユニットを上述の通りの構成とすることでカメラ本体１０１の小型化が可能となり、以下、その理由について説明する。電池収納ユニットでは、図２，３，５（ｃ）等に示されるように、蓋体１１６を回動可能に支持する第１のガイド軸９とロック部材５を支持する第２のガイド軸３とは、互いに略平行に、且つ、電池の挿脱方向において近接する位置に配置されている。つまり、第１のガイド軸９と第２のガイド軸３は、電池の挿脱方向から見たときに略重なるように配置されている。これにより、カメラ本体１０１に電池収納ユニットを設けたときのカメラ本体１０１の長手方向の長さを最小限に抑えることができる。また、第１のガイド軸９と第２のガイド軸３は、デジタルカメラ１００の正面側から見たときに、レンズ鏡筒１０２、電池収納部１（電池の収納領域）及びカメラ本体１０１の底面によって必然的に形成される略三角形の領域に配置される。よって、この略三角形の領域に第１のガイド軸９と第２のガイド軸３を配置することで、カメラ本体１０１が高さ方向に長くなってしまうこともない。
【００３１】
また、デジタルカメラ１００の電池収納ユニットでは、図５（ｃ）に示すように、電池の挿脱方向から見たときに、ロック部材５の一部が三脚ネジ部材２の外観部と重なる（外観投影領域Ｂ内に含まれる）ように構成されている。これにより、カメラ本体１０１の長手方向の長さを短く抑えることができるため、カメラ本体１０１の小型化が可能となる。
【００３２】
更に、デジタルカメラ１００の電池収納ユニットでは、図５（ｃ）に示すように、蓋体１１６を回転させる回転ヒンジ部２０の一部が、電池の挿脱方向から見たときに、三脚ネジ部材２の外観部と重なる（外観投影領域Ｂ内に含まれる）ように構成されている。なお、回転ヒンジ部２０とは、第１のガイド軸９の近傍部であって、電池収納部１の孔部１ａ、蓋基部６の孔部６ｇ、プレート部材８の孔部８ｂ、トグルバネ１０及び第１のガイド軸９を含む部分を指す。これにより、カメラ本体１０１の長手方向の大きさを決めている蓋体１１６と三脚ネジ部材２を近接させることができるため、カメラ本体１０１の長手方向の長さを短くすることができる。これにより、カメラ本体１０１を小型化することができる。
【００３３】
以上、本発明をその好適な実施形態に基づいて詳述してきたが、本発明はこれら特定の実施形態に限られるものではなく、この発明の要旨を逸脱しない範囲の様々な形態も本発明に含まれる。例えば、上記実施の形態では、本発明に係る電子機器としてデジタルカメラを取り上げたが、本発明はこれに限定されず、例えば、デジタル一眼レフカメラ、デジタルビデオカメラ等にも適用が可能である。また、電池を用いて動作する携帯型の通信機器や情報処理装置等への適用も可能である。
【符号の説明】
【００３４】
１    電池収納部
１ａ，１ｂ    孔部
１ｄ，１ｅ    ガイド部
２    三脚ネジ部材
３    第２のガイド軸
５    ロック部材
５ｅ，５ｆ    回転規制部
９    第１のガイド軸
２０    回転ヒンジ部
１００  デジタルカメラ
１０１    カメラ本体
１０２    レンズ鏡筒
１１６    蓋体
１１７    開口部
【図１】
2017120321.tif 000003
【図２】
2017120321.tif 000004
【図３】
2017120321.tif 000005
【図４】
2017120321.tif 000006
【図５】
2017120321.tif 000007
【図６】
2017120321.tif 000008